(57)【要約】【課題】　ブロック符号化において、適応的で効率的な符号化ができると共に、小型で安価に製造可能な高能率符号化装置を実現する。【解決手段】　インターレース走査により得られる画像データを符号化する高能率符号化装置は、画像データからブロックインターレースデータ、又はブロックノンインターレースデータを符号化する手段；符号化された画像データに対し、ブロックインターレースデータ又はブロックノンインターレースデータのいずれであるかを示す情報を付加する手段とを備え、ブロックインターレースデータとブロックノンインターレースデータは、同じブロックサイズで符号化し、共に、選択情報を付加する。【選択図】　　　図１
2004104823.tif 000002
【特許請求の範囲】
【請求項１】
　インターレース走査により得られる画像データを符号化する高能率符号化装置であって：
　当該画像データから、フレームデータで構成されかつ垂直方向に連続するペアの所定の基本処理ブロックに分割されたブロックノンインターレースデータ、又は、フィールドデータで構成されかつ垂直方向に連続するペアの所定の基本処理ブロックで構成されかつ上記ブロックノンインターレースデータとブロックサイズが同じでデータ配列の異なるブロックインターレースデータを所定の基本処理ブロックを単位として符号化する符号化手段と；
　前記符号化手段により符号化されたデータに対し、上記ブロックノンインターレースデータと上記ブロックインターレースデータとに共通な前記垂直方向に連続するペアの所定の基本処理ブロック毎に、上記ブロックノンインターレースデータと上記ブロックインターレースデータのどちらのデータであるかを示す情報を付加する手段とを備えたことを特徴とする画像データの高能率符号化装置。
【請求項２】
　前記請求項１に記載した画像データの高能率符号化装置において、さらに、前記ブロックノンインターレースデータと上記ブロックインターレースデータについて、それぞれ、垂直方向の画素相関を上記共通の所定の基本処理ブロック毎に算出する手段を備えていることを特徴とする画像データの高能率符号化装置。
【請求項３】
　前記請求項２に記載した画像データの高能率符号化装置において、さらに、前記画素相関算出手段から出力される相関値を比較する手段を備えていることを特徴とする画像データの高能率符号化装置。
【請求項４】
　インターレース走査により得られる画像データを符号化する高能率符号化方法であって：
　当該画像データから、フレームデータで構成されかつ垂直方向に連続するペアの所定の基本処理ブロックに分割されたブロックノンインターレースデータ、又は、フィールドデータで構成されかつ垂直方向に連続するペアの所定の基本処理ブロックで構成されかつ上記ブロックノンインターレースデータとブロックサイズが同じでデータ配列の異なるブロックインターレースデータを所定の基本処理ブロックを単位として符号化するステップと；
　前記符号化ステップにより符号化されたデータに対し、上記ブロックノンインターレースデータと上記ブロックインターレースデータとに共通な前記垂直方向に連続するペアの所定の基本処理ブロック毎に、上記ブロックノンインターレースデータと上記ブロックインターレースデータのどちらのデータであるかを示す情報を付加するステップとを備えたことを特徴する画像データの高能率符号化方法。
【発明の詳細な説明】
【技術分野】
【０００１】
　本発明は、画像データの高能率符号化方法およびその装置に関するものである。
【背景技術】
【０００２】
　従来、静止画用の高能率符号化装置などでは、図２に示すように、まずカメラ２０から出力されたインターレース画像２１をＡ／Ｄ変換器２２でディジタル化する。そして、Ａ／Ｄ変換器２２の出力であるインターレースデータ２３を、フレームメモリ２４でフレームを構成するノンインターレースデータ２５に変換し、垂直方向の隣接画素の相関を強くしてから、符号化処理部２６で圧縮処理をすることが多い。
【０００３】
　ところが動画に対しては、必ずしも上記の方式は適切でない。例えば、図３に示すように、画像内の物体Ａが、フィールド１とフィールド２で動いた場合、インターレースデータとして見ると、図３のフィールド１,２に示したようになり、これをノンインターレースデータとして見ると、図３のフレームに示した様になる。これから明らかなように、動いた部分について見ると、ノンインターレースデータにすると、動いた物体のエッジがライン単位のくしの歯状になり、垂直方向の隣接画素の相関が極端に劣化し圧縮しにくくなる。むしろインターレースデータのまま処理した方が圧縮し易いが、動画像に対して常にインターレースデータとして扱えば、動きのある部分ばかりではないため、全体の符号化効率は良くならない。
【０００４】
　従来、これを解決する適切な方法としては、例えば、以下の非特許文献１により知られるように、２つのフィールドにまたがった８画素×１６ラインを切り換えの単位として、垂直方向のフィールド内差分絶対値Ｄ１と、フィールド間差分絶対値Ｄ２を計算すると共に、その計算の結果として、２個の８×８ブロックでフィールド内ブロックとフィールド間ブロックを構成することが知られている。
【０００５】
　また、以下の特許文献１には、インターレース走査により得られる画像データを符号化するための符号化方法や装置が記載されている。その回路構成の変換回路８３では、２種類のメモリから読み出されるデータをスイッチング装置により切り換えて、静止画面に対しては、８×８個のピクセルブロックに対してフレーム内変換モードの符号化処理を行い、他方、動画像に対しては、４×８個のピクセルブロックに対してフィールド内変換モードの符号化処理を行うものである。
【０００６】
【非特許文献１】八島由幸、他２名，“Ｄ−５４　適応ブロック構成ＤＣＴを用いたＨＤＴＶ−標準ＴＶコンパチブル符号化”，１９８９年電子情報通信学会秋季全国大会講演論文集、社団法人電子情報通信学会，平成１年９月，分冊６，ｐ．５４
【０００７】
【特許文献１】特開昭６３−２３４７８８号公報、第２図
【発明の開示】
【発明が解決しようとする課題】
【０００８】
　しかしながら、上述のいずれの従来技術も、インターレース走査により得られる画像データを符号化する高能率符号化処理において、符号化を行なうための複数の処理において画像データを統一的に取り扱うことは全く示しておらず、そのため、その部品点数の増加により装置が大きくかつ高価になり、その処理内容も複雑なものとなってしまう。また、これにより得られる符号化された信号も、冗長性に欠け、その復号処理が面倒になってしまう。
【０００９】
　本発明は、上記した従来技術の欠点に鑑みてなされたものであり、上述の従来技術における欠点を解消することが可能な高能率符号化方法およびその装置を提供することを目的とする。
【課題を解決するための手段】
【００１０】
　一般に画像データの高能率符号化方式では、隣接画素との相関を利用してデータの圧縮を行う。従ってＴＶカメラ出力等のインターレース画像を符号化する場合は、ノンインターレース変換（フレームを構成する信号に変換）し、ノンインターレースデータ（フレームデータともいう）として、垂直方向の画素相関を強くしてから符号化する方が圧縮効率が高くなる。しかし、一般的には、画像内に動きが生じた場合、ノンインターレースデータでは動いた物体のエッジがライン単位のくしの歯状になるなど、垂直方向の相関が著しく低下する。このため、動きのある部分では、インターレースデータ（フィールドデータともいう）で符号化した方が良い場合が多い。
【００１１】
　そこで本発明では、上記の目的を達成するため、まず、インターレース走査により得られる画像データを符号化する高能率符号化装置であって：当該画像データから、フレームデータで構成されかつ垂直方向に連続するペアの所定の基本処理ブロックに分割されたブロックノンインターレースデータ、又は、フィールドデータで構成されかつ垂直方向に連続するペアの所定の基本処理ブロックで構成されかつ上記ブロックノンインターレースデータとブロックサイズが同じでデータ配列の異なるブロックインターレースデータを所定の基本処理ブロックを単位として符号化する符号化手段と；前記符号化手段により符号化されたデータに対し、上記ブロックノンインターレースデータと上記ブロックインターレースデータとに共通な前記垂直方向に連続するペアの所定の基本処理ブロック毎に、上記ブロックノンインターレースデータと上記ブロックインターレースデータのどちらのデータであるかを示す情報を付加する手段とを備えた画像データの高能率符号化装置を提供するものである。
【００１２】
　加えて、本発明では、上記の画像データの高能率符号化装置において、さらに、前記ブロックノンインターレースデータと上記ブロックインターレースデータについて、それぞれ、垂直方向の画素相関を上記共通の所定の基本処理ブロック毎に算出する手段を備えていることが、そして、さらに、前記画素相関算出手段から出力される相関値を比較する手段を備えていることが好ましい。
【００１３】
　また、本発明では、インターレース走査により得られる画像データを符号化する高能率符号化方法であって：当該画像データから、フレームデータで構成されかつ垂直方向に連続するペアの所定の基本処理ブロックに分割されたブロックノンインターレースデータ、又は、フィールドデータで構成されかつ垂直方向に連続するペアの所定の基本処理ブロックで構成されかつ上記ブロックノンインターレースデータとブロックサイズが同じでデータ配列の異なるブロックインターレースデータを所定の基本処理ブロックを単位として符号化するステップと；前記符号化ステップにより符号化されたデータに対し、上記ブロックノンインターレースデータと上記ブロックインターレースデータとに共通な前記垂直方向に連続するペアの所定の基本処理ブロック毎に、上記ブロックノンインターレースデータと上記ブロックインターレースデータのどちらのデータであるかを示す情報を付加するステップとを備えた画像データの高能率符号化方法が提供する。
【発明の効果】
【００１４】
　すなわち、本発明では、ブロックインターレースデータ又はブロックノンインターレースデータを適応的に符号化することにより、実際に符号化のし易い方のデータを符号化することができる。
【００１５】
　また、本発明では、ブロックインターレースデータ又はブロックノンインターレースデータのいずれのデータであるかを示す情報を符号化されたデータに付加しているため、復号化処理において、この情報を基にして元の画像データの並びをに構成することができると共に、本来、動画像と静止画像とによって異なる大きさで処理されることとなる画像データを、その符号化処理を含めた一連の処理において統一的に扱うことを可能とし、もって、処理の複雑化やその装置内の大型化を解消し、もって、安価に製作可能であり、かつ、得られる符号化された信号も、冗長性に優れると共に復号処理が容易な、画像データを符号化する高能率符号化装置を提供するという優れた効果を発揮する。
【発明を実施するための最良の形態】
【００１６】
　図１は本発明の全体構成を示すブロック図である。但し、説明の都合上、画像を所定の基本処理ブロックに分割して符号化するブロック符号化を前提とした。
【００１７】
　図において、カメラ１の出力であるインターレース画像２は、Ａ／Ｄ変換器３に入力され、そのＡ／Ｄ変換器３の出力であるインターレースデータ４はノンインターレース変換部５に入力され、そのノンインターレース変換部５の出力であるノンインターレースデータ６は、ブロック分割部７に入力され、そのブロック分割部７の出力は後述のようなブロックノンインターレースデータ８となる。
【００１８】
　このブロックノンインターレースデータ８は、セレクタ１７と相関演算部１１とインターレース変換部９に入力される。このインターレース変換部９の出力であるブロックインターレースデータ１０は、セレクタ１７と相関演算部１２に入力される。
【００１９】
　また、比較器１５には前記相関演算部１１，１２の出力で、相関の強弱を示す相関値１３，１４が入力され、比較器１５の出力である制御信号１６はセレクタ１７と符号化処理部１９に入力される。このセレクタ１７の出力であるデータ１８も符号化処理部１９に入力される。
【００２０】
　本発明の動作について以下に述べる。図１のカメラ１はインターレース画像２を出力し、そのインターレース画像２をＡ／Ｄ変換器３でディジタル化する。
【００２１】
　次にこのＡ／Ｄ変換器３の出力であるインターレースデータ４を、ノンインターレース変換部５によってデータの並びを替え、フレームを構成するノンインターレースデータ６とし、全体に垂直方向の隣接画素の相関を強める。
【００２２】
　次にブロック分割部７で、ブロック符号化処理がし易いように、後述の様なブロック単位のデータの並びに変更し、かつ垂直方向に連続する２ブロックをペアとしたブロック順として、これをブロックノンインターレースデータ８とする。このブロックノンインターレースデータ８をそのまま符号化処理すると、前述のように動きのある部分で問題となる。そこで前記ペアのブロックノンインターレースデータ８をインターレース変換部９に入力し、２ブロック間でインターレース変換（フィールドを構成する信号に変換）をする。
【００２３】
　例えば、図４（ａ）に示すブロック１、ブロック２という垂直２ブロックのブロックノンインターレースデータ８を前記インターレース変換部９で処理したブロックインターレースデータ１０は、図４（ｂ）のように、フィールド１のデータがブロック１、フィールド２のデータがブロック２になる。このとき、図４（ｂ）のブロック１とブロック２の境界に、画像として不連続な部分が生じ、画素の値に大きな隔たりが生じる恐れがあり得るが、基本的にブロック符号化では、ブロック内に前記隔たりが生じなければ良いので問題とならない。
【００２４】
　次に、前記ブロックノンインターレースデータ８とブロックインターレースデータ１０について、それぞれ相関演算部１１，１２を用い、垂直方向の画素相関を求める。具体的には、符号化処理部１９の符号化方式に対する圧縮のし易さを求めるわけで、符号化処理部１９の符号化方式が異なれば、前記相関演算部１１，１２の内容も多少異なることはある。
【００２５】
　そして、その結果である相関強度を示す相関値１３，１４を比較器１５で比較し、制御信号１６によってセレクタ１７を制御することで、ブロックノンインターレースデータ８とブロックインターレースデータ１０の内より、圧縮し易い方をデータ１８として後段の符号化処理部１９に入力することができる。
【００２６】
　また、セレクタ制御信号１６を符号化処理部１９に入力し、図４に示す２個の基本処理ブロックからなるブロックノンインターレースデータ８とブロックインターレースデータ１０のどちらを選択したかを示す情報を、選択されたブロックノンインターレースデータ８あるいはブロックインターレースデータ１０の符号データに付加する。
【００２７】
　従って、復号化処理では、この付加された情報を基に、元の画像データの並びに構成することができる。ここで、上記のように、この情報は、垂直方向のペアの基本処理ブロックに対する符号データ毎に付加されているため、個々の基本処理ブロック毎に情報を付加するものに比べ、符号データの伝送効率が向上する。また、ペアの基本処理ブロックに対する符号データ毎に付加されているため、復号化処理時に、ペアの基本処理ブロックの単位であるブロックノンインターレースデータとブロックインターレースデータとの区別が容易になる。
【００２８】
　以上のように本発明では、ブロックノンインターレースデータ８とブロックインターレースデータ１０の内より、圧縮し易い方を用いることで、基本的に動きのない部分はブロックノンインターレースデータ８を使用し、動きの激しい部分ではブロックインターレースデータ１０を使用して、効率よく符号化することができると共に、その後の再生時においても、確実に、元のインターレース画像データを再生されることとなる。
【００２９】
　なお、前述では、基本的に動きのない部分はブロックノンインターレースデータ８を、動きの激しい部分ではブロックインターレースデータ１０を使用して、符号化するとして説明したが、これはあくまで、基本的なデータの符号化処理を説明するものであって、必ずしも、常にこのように符号化処理がなされるものではない。
【００３０】
　即ち、本発明は、前述のように、それぞれの相関値１３，１４を比較器１５で比較することにより、ブロックノンインターレースデータ８とブロックインターレースデータ１０の内より、圧縮し易い方のデータを求め、この圧縮し易い方のデータを使用して符号化するものであるため、例えば、動きのない部分であっても、相関値の比較の結果、圧縮し易い方のデータがブロックインターレースデータ１０であればこれを、動きの激しい部分であっても、圧縮し易い方のデータがブロックノンインターレースデータ８であれば、こちらを使用して符号化する。
【００３１】
　また、前述ではペアのブロックを用いてインターレース変換をする説明をしたが、前記画像としての不連続がブロック内に生じても問題ない符号化方式（例えば、ブロック内をさらに小さいブロックで分割して符号化する場合など）では、１ブロック毎にインターレース変換しても可能である。
【００３２】
　また、ブロック符号化以外であれば、インターレース変換する単位は、任意である。さらに、図１のブロック分割部７から、図４（ｂ）に示すようなブロックインターレースデータ１０が出力されるようにし、インターレース変換部９にノンインターレース変換都を設定しても可能である。
【実施例１】
【００３３】
　以下、図１のブロック分割部７以降の部分について、本発明のブロック符号化の一実施例を図５に示す。なお、ここで用いられる符号化方式は、特開昭６２−２５２２１７号（「データ符号化方式」）公報等に示されている非等長ブロック分割符号化方式で符号化するものを例として説明するが、ブロック符号化であれば、この非等長ブロック分割符号化方式の他、周知のブロック符号化方式においても、同様に適用できることは言うまでもない。
【００３４】
　この符号化方式は、例えば１６画素×１６画素のブロックに対し、各ブロック内の画素値の変化に応じて、１６面素×１６画素、８画素×８画素、４画素×４画素、２画素×２画素の各ブロックで適応的にさらにブロック分割をするもので、分割されたブロック内の各画素の値を下記（１）式に示す双線形関数で近似して圧縮符号化するものである。なお、この時、１６画素×１６画素を基本処理ブロックと呼ぶことにする。
【００３５】
　　　　　　ｆi,j＝ａij＋ｂi＋ｃj＋d　…………………………（１）
　ここで、（ｉ，ｊ）はブロック内の画素の位置を示すもので、ｉは水平位置、ｊは垂直位置とする。ｆi,jは（ｉ，ｊ）の位置の画素値の近似値となり、ａ，ｂ，ｃ，ｄが（１）式の係数である。
【００３６】
　つまり、この符号化方式では、垂直方向の画素値変化は係数ａとｃのみで表現されるため、複雑な画素値の変化には対応できず、単純に垂直方向の画素の相関が強い方が圧縮し易いことになる。
【００３７】
　では、図５の説明をする。ここでは、前記非等長ブロック分割符号化の基本処理ブロックを１６画素×１６画素とする。従って、図５のデータ２８は、１６画素×１６画素に分割されたノンインターレースデータで、かつ垂直方向に連続したペアの基本処理ブロックになっているとする。このデータ２８は、ペアの基本処理ブロック単位にメモリ３０に入力され、次にメモリ３０からの読み出し順を変えて、図４（ｂ）に示したようなインターレースデータであるデータ３２になる。
【００３８】
　一方、ノンインターレースデータのデータ２８はシフトレジスタ２９にも入力され、前記データ３２が出力されるまで遅延させられデータ３１となる。ここで同期のとられたデータ３１とデータ３２は、各々の垂直方向の画素相関を求めるために、メモリ３３とメモリ３４に各々入力される。
【００３９】
　次に、メモリ３３,３４から垂直方向の画素相関を求めやすいように、各基本処理ブロック内のデータを垂直方向に読み出しデータ３５，３６とする。そしてデータ３５はラッチ３７と減算器４１のｂに、データ３６はラッチ３８と減算器４２のｂに入力される。ラッチ３７とラッチ３８の出力であるデータ３９，４０は、それぞれ１画素遅れた画素データとして、前記減算器４１のａと減算器４２のａに各々入力される。ここで、減算器４１，４２はａ−ｂの絶対値をｃとして出力するものとする。従って、減算器４１，４２の出力であるデータ４３，４４には、垂直方向隣接画素間の差分絶対値が得られる。
【００４０】
　次に、データ４３を加算器４５、データ４７、ラッチ４９、データ５１のループによって積和する。データ４４も同様に、加算器４６、データ４８、ラッチ５０、データ５２のループにより積和する。
【００４１】
　従って、最終的にデータ５１には、ノンインターレースデータの場合の隣接画素間の差分絶対値の積和がペアの基本処理ブロック毎に得られ、データ５２にはインターレースデータの場合の隣接画素間の差分絶対値の積和がペアの基本処理ブロック毎に得られることになる。このデータ５１とデータ５２の値を相関値と呼ぶことにする．
【００４２】
　以上、垂直方向の画素相関の求め方を式（２）にまとめる。
【００４３】
【数１】
2004104823.tif 000003
　ここで、（ｉ，ｊ）は基本処理ブロック内の画素の位置を示し、ｉは水平方向、ｊは垂直方向の位置を示すものとする。また、ｅi,jは、ペアの基本処理ブロックの一方の画素の値で、ｅ’i,jは、もう一方の基本処理ブロックの画素の値を示すことになる。
【００４４】
　従って、（２）式により得られる相関値は、値が小さいほど相関が強いことを示すことになる。
【００４５】
　これにより、比較器５３では、ノンインターレースデータであるデータ３１の相関値をデータ５１から、またインターレースデータであるデータ３２の相関値をデータ５２から得ることができ、その大小を比較して値の小さい方、つまり、より相関の強い方をスイッチ５９で選択できるように制御信号５４を出力する。
【００４６】
　一方、データ３１，３２は前記制御信号５４が出力されるまでシフトレジスタ５５，５６で各々遅延させられ、データ５７，５８としてスイッチ５９に入力される。
【００４７】
　そして、スイッチ５９は相関の強い方の基本処理ブロックのペアをデータ６０として出力し、非等長ブロック分割符号化部６１の入力とする。
【００４８】
　ここで、制御信号５４は、どちらの符号化タイプのデータを選択したかを示す情報として符号データに付加するために、非等長ブロック分割符号化部６１に入力される。
【００４９】
　以上により、静止している部分と動きのある部分に対し、ブロックインターレースデータ、ブロックノンインターレースデータを２つの基本処理ブロックごとに適応的に選択して圧縮することができる。
【００５０】
　次に、前記相関値によってデータの選択が行われる具体例を示す。まず、図６に、ペアの基本処理ブロック内で斜線の物体が静止している場合のノンインターレースデータを示す。これは、図５においてはデータ３１に相当する。
【００５１】
　そして、この図６に示すデータをインターレースデータにしたものを、図７に示す。これは、図５のデータ３２に相当する。この図７では、各基本処理ブロック内に水平ラインのエッジが２本あり、図６よりは圧縮しにくいものになっている。
【００５２】
　ここで、図６、図７の斜線部分の輝度値を１０、その背景の輝度値を０とし、図５に示した相関値を演算算出する手段（３３〜５０）により、各データの相関値を前述の（２）式に基づき求めると、
　　　　図６のノンインターレースデータの相関値＝１４０
　　　　図７に示すインターレースデータの相関値＝２８０
となる。
【００５３】
　そこで、これら相関値を図５の比較器５３で比較すると、１４０＜２８０であるから、図６のノンインターレースデータが正しく選択されることになる。
【００５４】
　次に、図６の斜線の物体が、フィールド２で水平方向に４画素移動した場合のノンインターレースデータを図８に示す。これも図５のデータ３１に相当するが、従来問題となっていた動きにより垂直方向の相関が低下した一例である。
【００５５】
　そして、図８に示すデータをインターレースデータにしたものが図９で、図５のデータ３２に相当する。
【００５６】
　ここで、図８と図９を比べると、明らかにインターレースデータの図９の方が圧縮し易い。そこで、図５に示した相関値を演算算出する手段（３３〜５０）により、各データの相関値を前述の（２）式に基づき求めると、
　　　　図８のノンインターレースデータの相関億＝１０２０
　　　　図９に示すインターレースデータの相関値＝　２００
となる。
【００５７】
　そこで、これら相関値を図５の比較器５３で比較すると、２００＜１０２０であるから、今度は、図９のインターレースデータが、正しく選択されることになる。
【００５８】
　以上のように、前記（２）式に基づき算出したそれぞれの垂直方向の相関値の相対比較によって、適切に、静止している部分はノンインターレースデータを、また動いている部分はインターレースデータを自動的に選択し、圧縮符号化することが可能であることがわかる。
【００５９】
　以上説明したように、本発明では、ブロックインターレースデータとブロックノンインターレースデータのそれぞれの垂直方向の画素相関を求め、相対比較をし、両者の内より相関の強い方のデータを選択するため、どのような画像の場合であっても、実際に相関値が低いブロックデータの方を選択して符号化することになり、より適応的で効率的な符号化ができる。
【００６０】
　さらに、このブロック符号化において、ブロックノンインターレースデータとブロックインターレースデータのどちらを選択したかを示す情報を、選択されたブロックノンインターレースデータかブロックインターレースデータの符号データに付加しているため、復号化処理において、この情報を基にして、元の画像データの並びに構成することができる。
【図面の簡単な説明】
【００６１】
【図１】本発明の全体構成を示すブロック図である。
【図２】従来技術例を示すブロック図である。
【図３】動きのある場合に垂直方向の相関が無くなる例を示す図である。
【図４】本発明によるブロック単位にインターレース変換した例を示す図である。
【図５】本発明の一実施例を示す図である。
【図６】静止画をノンインターレースデータとして見た図である。
【図７】静止画をインターレースデータとして見た図である。
【図８】動画をノンインターレースデータとして見た図である。
【図９】動画をインターレースデータとして見た図である。
【符号の説明】
【００６２】
　５：ノンインターレース変換部　６：ノンインターレースデータ
　７：ブロック分割部　８：ブロックノンインターレースデータ
　９：インターレース変換部　１０：ブロックインターレースデータ
　１１，１２：相関演算部　１３，１４：相関値　１５：比較器
　１６：制御信号　１７：セレクタ　１８：データ　１９：符号化処理部。
【図１】
2004104823.tif 000004
【図２】
2004104823.tif 000005
【図３】
2004104823.tif 000006
【図４】
2004104823.tif 000007
【図５】
2004104823.tif 000008
【図６】
2004104823.tif 000009
【図７】
2004104823.tif 000010
【図８】
2004104823.tif 000011
【図９】
2004104823.tif 000012